(57)【要約】【課題】表示されるメッセージが高度な可読性を有することが可能な、テレビ画面へのメッセージ表示方法および装置を提供すること。【解決手段】テレビ画面にメッセージを表示する方法は、画面にテレビ画像を表示するステップと、前記テレビ画像が前記画面のメッセージ領域内で少なくとも部分的に見えるように、前記メッセージ領域内にメッセージを表示するステップと、前記メッセージ領域内で前記テレビ画像をぼかすステップと、から構成される。【選択図】図２
2008259206.tif 000002
【特許請求の範囲】
【請求項１】
画面にテレビ画像を表示するステップと、
前記テレビ画像が前記画面のメッセージ領域内で少なくとも部分的に見えるように、前記メッセージ領域内にメッセージを表示するステップと、
前記メッセージ領域内で前記テレビ画像をぼかすステップと、
から構成される、テレビ画面にメッセージを表示する方法。
【請求項２】
前記メッセージはテキストメッセージである、請求項１に記載の方法。
【請求項３】
前記テレビ画像は、前記メッセージ領域内だけでぼやけており、前記画面のその他の領域ではぼやけていない、請求項１または２に記載の方法。
【請求項４】
ぼかしの程度を調整するステップから構成される、請求項１〜３のいずれかに記載の方法。
【請求項５】
前記調整するステップは、使用者によって制御可能である、請求項４に記載の方法。
【請求項６】
前記テレビ画像の色は、前記メッセージ領域内で、その他の画面に対して修正される、請求項１〜５のいずれかに記載の方法。
【請求項７】
前記メッセージ領域のサイズは、前記テキストメッセージのサイズに依存する、請求項１〜６のいずれかに記載の方法。
【請求項８】
前記テレビ画像は、インターレースモードで再生される、請求項１〜７のいずれかに記載の方法。
【請求項９】
前記テレビ画像は、ノンインターレースモードで再生される、請求項１〜８のいずれかに記載の方法。
【請求項１０】
画面にテレビ画像を表示するステップと、
前記テレビ画像が前記画面のメッセージ領域内で少なくとも部分的に見えるように、前記メッセージ領域内にメッセージを表示するステップと、
前記メッセージ領域内で前記テレビ画像をぼかすステップと、
から構成される、コンピュータによる前記テレビ画面への前記メッセージの表示方法を実行するコンピュータプログラム命令を含む、コンピュータプログラム製品。
【請求項１１】
テレビ画像またはメッセージの少なくともいずれか１つを表示するように構成された画面と、
前記メッセージを受信、提供、または、受信および提供するように構成されたメッセージ処理部と、
前記テレビ画像を提供するように構成されたチューニング部と、
前記画面に前記テレビ画像を表示して、前記テレビ画像が前記画面のメッセージ領域内で少なくとも部分的に見えるように、前記メッセージ領域内に前記メッセージを表示するように構成されており、さらに、前記メッセージ領域内で前記テレビ画像をぼかすように構成された画面制御部と、
を備える、テレビ。
【請求項１２】
ぼかしの程度を設定するように構成された設定部を備える、請求項１１に記載のテレビ。
【請求項１３】
前記設定部は、使用者によって制御可能であり、使用者は、ぼかしの程度を制御することができる、請求項１２に記載のテレビ。
【請求項１４】
テレビチャネルに合わせるように構成されるテレビチューニング部と、
使用者へのメッセージを受信、生成、または、受信および生成するように構成されるメッセージ提供部と、
前記テレビチャネルのテレビ画像および前記メッセージが前記テレビ画面に表示される原因となるテレビへの出力信号を生成するように構成される信号処理部と、を備え、
前記テレビ画像が前記画面のメッセージ領域内で少なくとも部分的に見えるように、前記メッセージが前記メッセージ領域内に表示されており、前記テレビ画像は、前記メッセージ領域内だけでぼやけており、前記画面のその他の領域ではぼやけていない、テレビ機材装置。
【発明の詳細な説明】
【技術分野】
【０００１】
本発明の一実施形態は、テレビ画面へのメッセージ表示方法および装置に関する。本発明の更なる実施形態は、テレビ画面にメッセージを表示するためのテレビ機材装置（ｔｅｌｅｖｉｓｉｏｎ  ｅｑｕｉｐｍｅｎｔ  ｄｅｖｉｃｅ）に関する。
【背景技術】
【０００２】
現代では、オンスクリーンディスプレイ（ＯＳＤ：Ｏｎ−Ｓｃｒｅｅｎ  Ｄｉｓｐｌａｙ）の方法は、広く利用されている。例えば、セットトップボックス（ＳＴＢ：Ｓｅｔ  Ｔｏｐ  Ｂｏｘ）または記録装置のような、テレビの機能またはテレビ機材装置を制御するための操作メニュー等が、テレビ画面に表示されてもよい。さらに、現在視聴しているテレビ番組の番組情報が、テレビ画面に表示されてもよい。このように、今日では、様々なメッセージが、使用者への情報源としてテレビ画面に表示される。そのようなメッセージは、高度な可読性を有することが重要である。
【発明の開示】
【発明が解決しようとする課題】
【０００３】
そこで、本発明は、上記問題に鑑みてなされたものであり、本発明の目的とするところは、表示されるメッセージが高度な可読性を有することが可能な、新規かつ改良されたテレビ画面へのメッセージ表示方法および装置を提供することにある。この目的は、本特許出願の特許請求の範囲に記載される方法および装置によって達成される。本発明の詳細は、図面および後述される記載に対する考察によって明らかとなる。
【課題を解決するための手段】
【０００４】
上記課題を解決するために、本発明のある観点によれば、画面にテレビ画像を表示するステップと、前記テレビ画像が前記画面のメッセージ領域内で少なくとも部分的に見えるように、前記メッセージ領域内にメッセージを表示するステップと、前記メッセージ領域内で前記テレビ画像をぼかすステップと、から構成される、テレビ画面にメッセージを表示する方法が提供される。
【０００５】
前記メッセージはテキストメッセージであってもよい。前記テレビ画像は、前記メッセージ領域内だけでぼやけており、前記画面のその他の領域ではぼやけていなくてもよい。本方法は、ぼかしの程度を調整するステップから構成されてもよい。前記調整するステップは、使用者によって制御可能であってもよい。前記テレビ画像の色は、前記メッセージ領域内で、その他の画面に対して修正されてもよい。前記メッセージ領域のサイズは、前記テキストメッセージのサイズに依存してもよい。前記テレビ画像は、インターレースモードで再生されてもよい。前記テレビ画像は、ノンインターレースモードで再生されてもよい。
【０００６】
また、上記課題を解決するために、本発明の別の観点によれば、画面にテレビ画像を表示するステップと、前記テレビ画像が前記画面のメッセージ領域内で少なくとも部分的に見えるように、前記メッセージ領域内にメッセージを表示するステップと、前記メッセージ領域内で前記テレビ画像をぼかすステップと、から構成される、コンピュータによる前記テレビ画面への前記メッセージの表示方法を実行するコンピュータプログラム命令を含む、コンピュータプログラム製品が提供される。
【０００７】
上記課題を解決するために、本発明のさらなる別の観点によれば、テレビ画像またはメッセージの少なくともいずれか１つを表示するように構成された画面と、前記メッセージを受信、提供、または、受信および提供するように構成されたメッセージ処理部と、前記テレビ画像を提供するように構成されたチューニング部と、前記画面に前記テレビ画像を表示して、前記テレビ画像が前記画面のメッセージ領域内で少なくとも部分的に見えるように、前記メッセージ領域内に前記メッセージを表示するように構成されており、さらに、前記メッセージ領域内で前記テレビ画像をぼかすように構成された画面制御部と、を備える、テレビが提供される。
【０００８】
テレビは、ぼかしの程度を設定するように構成された設定部を備えてもよい。前記設定部は、使用者によって制御可能であり、使用者は、ぼかしの程度を制御してもよい。
【０００９】
上記課題を解決するために、本発明のさらなる別の観点によれば、テレビチャネルに合わせるように構成されるテレビチューニング部と、使用者へのメッセージを受信、生成、または、受信および生成するように構成されるメッセージ提供部と、前記テレビチャネルのテレビ画像および前記メッセージが前記テレビ画面に表示される原因となるテレビへの出力信号を生成するように構成される信号処理部と、を備え、前記テレビ画像が前記画面のメッセージ領域内で少なくとも部分的に見えるように、前記メッセージが前記メッセージ領域内に表示されており、前記テレビ画像は、前記メッセージ領域内だけでぼやけており、前記画面のその他の領域ではぼやけていない、テレビ機材装置が提供される。
【発明の効果】
【００１０】
以上説明したように本発明によれば、表示されるメッセージが高度な可読性を有することが可能な、新規かつ改良されたテレビ画面へのメッセージ表示方法および装置が提供される。
【発明を実施するための最良の形態】
【００１１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１２】
後述では、本発明の実施形態が記載される。後述される全ての実施形態は、何らかの方法で組み合わせられる。すなわち、後述されるある実施形態または特徴は、他の実施形態または特徴と組み合わせられないという限定はない。
【００１３】
本発明の一実施形態によれば、テレビ画面にメッセージを表示する方法は、テレビ画像を画面に表示するステップを含む。前記テレビ画像は、現在視聴されているテレビ番組に対応するテレビ画像である。すなわち、テレビ画像は、テレビ放送局によって送信されるビデオ動画であってもよい。本方法は、さらに、画面のメッセージ領域またはメッセージ範囲にメッセージを表示するステップを含む。このメッセージ領域は画面の一部分だけを覆っており、テレビ画像は、メッセージ領域内で少なくとも部分的に見ることができる。本方法は、さらに、メッセージ領域内のテレビ画像をぼかす（不鮮明にする、焦点を外す、かすませる）ステップを含む。メッセージは、テレビ画像がメッセージ領域内で部分的に見えるように、少なくとも部分的に透けて見えるように表示されてもよい。メッセージのいくつかの部分は透けて見えるように表示されて、他の部分は透けて見えないように表示されてもよい。例えば、メッセージは、実線で、または不透明に、すなわち透けて見えないように表示されるテキスト構成要素で構成されてもよい。例えば、メッセージは、箱で囲まれてもよい。その箱は、部分的に透けて見えるように表示されてもよい。
【００１４】
メッセージがテキストメッセージである場合、使用者は、テレビ画像の明るい色、早い動き、および、はっきりした縁取り（ｓｈａｒｐ  ｅｄｇｅ）のうちの１つまたはそれらの組み合わせに気をとられることがなく、そのため、テキストのはっきりした縁取りが見やすいので、テキストメッセージの可読性は高い。言い換えると、テレビ画像はメッセージ領域内でぼやけているので、使用者はメッセージの背景に気を取られることがない。他方で、テレビ画像は、メッセージ領域内で少なくとも部分的にぼやけて見えており、テレビ画面のその他の領域ではぼやけずに見えたままである。そのため、使用者は、表示されたテレビ画像に対応する現在視聴していたテレビ番組を見続けることができる。メッセージおよびメッセージ領域の少なくともいずれかひとつは、長方形、円形、楕円形、およびその他の形等の様々な形であってよい。
【００１５】
このように、テレビ画像はメッセージ領域内だけでぼやけており、テレビ画面のその他の領域ではぼやけていないようにすることが可能である。すなわち、少なくともメッセージ領域内に画像がぼやけた部分があり、メッセージ領域の周囲にぼやけずに表示された部分があってもよい。このように、画面のメッセージ領域の他の部分で、テレビ画像は、ぼやけずに、はっきりと表示される。
【００１６】
本発明の更なる実施形態によれば、本方法は、ぼかしの程度を調整するステップを含んでもよい。調整は、使用者によって制御可能である。このように、使用者は、あらかじめ決められた尺度でぼかしの程度を調整することができる。例えば、使用者は、０〜５または０〜１０の尺度でぼかしの程度を調整してもよい。そのような値は、例えば、「表面的な（ｃｏｓｍｅｔｉｃ）」調整に使用されてもよい。この調整は、「可読性を向上する」ための全般的な設定の一部であり、全般的な設定では、例えば、フォントサイズ、コントラスト、色の選択等の他のパラメータも調整される。
【００１７】
さらに、テレビ画像の色は、その他の領域画面に対してメッセージ領域内で修正されてもよいし、例えば白黒画像に設定される等のようにして、色または完全なテレビ画像が修正されてもよい。色の修正の種類または程度のいずれかまたは両方は、あらかじめ決められた尺度に依存して、使用者によって調整されてもよい。例えば、テレビ画像が白黒画像に設定されたとすると、メッセージ領域またはメニューのいずれかまたは両方は、カラーで表示されてもよい。このことは、メニューの可読性をよりいっそう向上する。
【００１８】
さらに、メッセージ領域のサイズは、テキストメッセージのサイズに依存してもよい。非常に多量のテキストが画面に表示される必要がある場合、メッセージ領域は、テキストメッセージを表示するために十分な大きさのサイズに設定されてもよい。他方で、テキストメッセージが小さい場合、メッセージ領域のサイズは、使用者がテレビ画像の大部分をはっきりと、すなわちぼかしがない状態で見ることができるように、ある程度小さく設定されてもよい。
【００１９】
本発明のさらなる実施形態によれば、テレビ画像は、インターレースモード（Ｉｎｔｅｒｌａｃｅｄ  Ｍｏｄｅ）で再生されてもよい。このように、前述された方法は、インターレースモードに従って動作するテレビ受像機（ｔｅｌｅｖｉｓｉｏｎ  ｓｅｔ）内で使用されてもよい。さらに、テレビ画像は、ノンインターレースモード（プログレッシブスキャンモード）で再生されてもよい。
【００２０】
本発明の一実施形態にかかるテレビは、テレビ画像またはメッセージの少なくともいずれか１つを表示するように構成された画面と、メッセージを受信、提供、または、受信および提供するように構成されたメッセージ処理部と、テレビ画像を提供するように構成されたチューニング部と、画面に前記テレビ画像を表示して、テレビ画像が画面のメッセージ領域内で少なくとも部分的に見えるように、メッセージ領域内にメッセージを表示するように構成されており、さらに、メッセージ領域内でテレビ画像をぼかすように構成された画面制御部と、を備えてもよい。このように、チューニング部は、テレビ信号を受信してテレビ画像を提供してもよい。さらに、メッセージ処理部は、画面上にメッセージとして表示されるテレビのメニューを提供するメニュー生成部に接続されてもよい。さらに、メッセージ処理部は、テレビ番組に関する番組情報を提供する番組提供部に接続されてもよい。メッセージ処理部または番組提供部は、例えばインターネット接続を介して、外部のサーバから、表示されるメッセージを受信してもよい。
【００２１】
更なる実施形態では、テレビは、ぼかしの程度を設定するように構成された設定部を備えてもよい。設定部は、メッセージ領域内のぼかしの程度を増加させる、または低下させるためのボタンを備えてもよい。本発明の更なる実施形態によれば、テレビの付属品、セットトップボックス、記録装置、受信機、チューナー等のようなテレビ機材装置は、テレビチャネルに合わせるように構成されるテレビチューニング部と、使用者へのメッセージを受信、生成、または、受信および生成するように構成されるメッセージ提供部と、テレビチャネルのテレビ画像およびメッセージがテレビ画面に表示される原因となる、例えばビデオ出力信号等のテレビへの出力信号を生成するように構成されるメッセージ処理部と、を備えて、テレビ画像が画面のメッセージ領域内で少なくとも部分的に見えるように、メッセージがメッセージ領域内に表示されており、テレビ画像は、メッセージ領域内だけでぼやけており、画面のその他の領域ではぼやけていなくてもよい。
【００２２】
図１には、本発明の一実施形態にかかるステップが示されている。まず、ステップＳ１００で、テレビ画像は、テレビ画面に表示される。さらに、ステップＳ１０２で、画面のメッセージ領域にメッセージが表示される。このとき、テレビ画像は、メッセージ領域内で少なくとも部分的に見えている。さらに、ステップＳ１０４で、テレビ画像はメッセージ領域内でぼやける。
【００２３】
図２は、画面２０２、画面制御部２０４、メッセージ処理部２０６、およびチューニング部２０８から構成されるテレビ２００を示している。画面制御部２０４は、画面２０２に接続されており、画面２０２上に示される画像を制御する。メッセージ処理部２０６は、画面制御部２０４に接続されており、画面２０２に表示されるメッセージ２１４を提供する。チューニング部２０８も、画面制御部２０４に接続されており、画面２０２に表示されるテレビ画像２１０を提供する。チューニング部２０８は、テレビ信号を提供するアンテナケーブル２１６に接続されている。もちろん、メッセージ２１４は、長方形、円形、その他の形等の様々な形でありうる。
【００２４】
このように、画面２０２は、テレビ画像２１０およびメッセージ２１４を表示するように構成されている。メッセージ処理部２０６は、メッセージ２１４を受信、提供、または受信及び提供するように構成されている。メッセージは、例えばテレビの操作メニューまたはテレビ番組に関してもよい。
【００２５】
チューニング部２０８は、例えばアンテナケーブル２１６を介して受信されたテレビ信号に基づいて、テレビ画像２１０を提供するように構成されている。画面制御部２０４は、画面２０２にテレビ画像２１０を表示し、画面のメッセージ領域２１２にメッセージ２１４を表示するように構成されている。このことによって、テレビ画像２１０は、メッセージ領域２１２内で可視となる。メッセージ領域２１２内に点線で示されるように、テレビ画像２１０は、メッセージ領域２１２内でぼやけている。
【００２６】
図３は、信号処理部３０２、テレビチューニング部３０４、およびメッセージ提供部３０６から構成されるセットトップボックス３００を示している。信号処理部３０２は、（図３には図示されない）テレビ受像機に提供されるテレビ信号ＴＶを生成する。信号処理部３０２は、テレビチューニング部３０４およびメッセージ提供部３０６に接続されている。
【００２７】
テレビチューニング部３０４は、テレビチャネルに合わせるように、および、テレビ画像を提供するように構成されている。したがって、テレビチューニング部３０４は、テレビ信号を提供するアンテナケーブル３０８に接続されている。メッセージ提供部３０６は、使用者へのメッセージを受信、生成、または、受信および生成するように構成されている。メッセージは、例えばテレビのメニューまたはテレビテレビ番組に関してもよい。メッセージは、前述されたアンテナケーブル３０８および前述されたチューニング部３０４を介して受信されてもよい。または、メッセージは、さらに、例えばインターネットへの接続等を提供する接続３１０を介して受信されてもよい。
【００２８】
信号処理部３０２は、テレビへの出力信号ＴＶを生成するように構成される。その出力信号が、前述のテレビチャネルのテレビ画像、および、テレビの画面に表示されるメッセージをもたらす。そのメッセージは、画面のメッセージ領域に表示され、前述のテレビ画像は、前記メッセージ領域内で少なくとも部分的に可視である。前述のテレビ画像は、前述のメッセージ領域内でだけぼやけており、画面のその他の領域ではぼやけていない。
【００２９】
図４は、テレビ画像４０２を表示するテレビ画面４００を示している。図４は、さらに、前述のテレビ画像４０２に表示されるメッセージ４０４を示している。図５は、テレビ画像４０２を表示するテレビ画面４００を示している。図５は、さらに、テレビ画像４０２に表示されるメッセージ４０４を示している。メッセージ４０４は、例えば、テレビのメニューまたは番組情報に関してもよい。メッセージ４０４は、テキスト構成要素および図形構成要素から構成されてもよく、所定のサイズを有する。メッセージ４０４のサイズは、テレビ画像４０２内のメッセージ領域４０６のサイズを決定する。メッセージ領域４０６のサイズは、メッセージのサイズに依存して設定されてもよい。すなわち、メッセージ領域４０６は、メッセージ４０４を適切に表示するために十分な程度大きく選択される。使用者は、メッセージ領域のサイズを使用者自身で設定してもよい。この場合、例えば、メッセージの表示サイズは、メッセージ領域のサイズに適応される。したがって、例えば、表示されるメッセージの文字のサイズが適応されてもよい。したがって、使用者は、メッセージによって、妨害度を制御してもよい。メッセージ領域のサイズが制御されることが可能であり、さらに、画像はメッセージ領域内で少なくとも部分的に可視であるので、現在視聴しているテレビ番組の妨害度は、非常に低い。このように、メッセージが表示されていたとしても、使用者は、テレビ番組を視聴し続けることができ、一方、同時に、高度な可読性でメッセージを適切に読むことができる。
【００３０】
図５では、メッセージ４０４が、テレビ画像４０２の中央に表示されている。もちろん、メッセージ４０４は、テレビ画像４０２内の他の位置に表示されてもよい。メッセージ領域４０６内で、テレビ画像４０２は、部分的に見えている。しかし、メッセージ領域４０６で、テレビ画像４０２はぼやけている。すなわち、メッセージ領域４０６は、テレビ画像４０２のぼやけた部分４０８で構成される。テレビ画像４０２のぼやけた部分４０８は、図５に点線で示されたように、はっきりした縁取りを有さない。
【００３１】
テレビ画像４０２のその他の領域、すなわち、メッセージ領域４０６の外側では、テレビ画像４０２は、図５に実線で示されているように、ぼかしがない状態で表示される。このように、使用者は、大きな妨害なく、テレビ番組を見続けているように感じる。
【００３２】
図６は、テレビ画像６００を示しており、図７は、テレビ画像６００内に表示されるメッセージ６０２を示している。メッセージ６０２は、テキスト構成要素６０４と、図形構成要素、すなわちグレーボックス６０６とから構成されている。メッセージ６０２は、グレーボックス６０６の横幅Ａ、縦幅Ｂによって決定される、所定のサイズを有する。
【００３３】
図８は、メッセージ領域６０８から構成されるテレビ画像６００を示している。メッセージ領域６０８のサイズは、メッセージ６０２のサイズと等しい、すなわち、メッセージ領域６０８は、グレーボックス６０６と同じ横幅Ａおよび同じ縦幅Ｂを有する。メッセージ領域６０８内で、テレビ画像６００は、ぼやけている。テレビ画像６００はぼやけているため、ある程見やすさが弱められており、完全にはっきりとは見えない。
【００３４】
図９は、テレビ画像６００のメッセージ領域６０８内に表示されるメッセージ６０２を示している。図９に示されるように、メッセージ６０２は完全にはっきりと表示されている。すなわち、テキスト構成要素６０４は、はっきりした縁取りで構成される。一方、テレビ画像６００は、メッセージ領域６０８内でぼやけている、すなわち、はっきりした縁取りを有さない。このように、テキスト構成要素６０４の可読性は非常に高い。
【００３５】
図１０は、テレビ画像７００およびメッセージ７０２を示している。メッセージ７０２は、テキスト構成要素７０４、図形構成要素７０６、および、メッセージ７０２のグレーの背景領域を形成している２つの長方形のグレーボックスＣおよびＤから構成されている。図１０の例では、全てのテレビ画像７００がぼやけている。このように、メッセージ７０２の可読性は非常に高い。
【００３６】
図１１は、ぼやけた部分７０８から構成されるテレビ画像７００を示している。ぼやけた部分７０８は、２つの長方形部分Ｃ’およびＤ’から構成されている。ぼやけた部分７０８は、メッセージ７０２と、ちょうど同じサイズおよび形である。テレビ画像はメッセージ領域内だけでぼやけている。図１２は、ぼやけた部分７０８内、すなわちメッセージ領域内に表示されたメッセージ７０２を示している。このテレビ画像では、メッセージ領域内で、テレビ画像は部分的に見えており、ぼやけている。メッセージ領域内のテレビ画像７００がぼやけているので、テキスト構成要素７０４および図形構成要素７０６の可読性は、非常に高い。
【００３７】
一方、図１３は、ぼかしがない状態でテレビ画像７００内に表示された、同じメッセージ７０２を示している。このテレビ画像では、メッセージ領域内で、テレビ画像が見えており、ぼやけていない。図１３に示されるように、テキスト構成要素７０４および図形構成要素７０６の可読性は、非常に低い。使用者は、メッセージの背景内の画像のはっきりした縁取りに気をとられてしまう。
【００３８】
図１４〜図１７は、図１０〜図１３で示されたのと同じ例をカラーで示している。図示されるように、効果、および、ぼかしがある場合とぼかしがない場合（図１６と図１７）の間の可読性の差は、より明確に示される。
【００３９】
図１４〜図１７に示されるように、メッセージ７０２は、異なる色の構成要素から構成されている。例えば、図１２で説明されたグレーボックスＣおよびＤは、薄いグレーで彩色されて、テキスト構成要素７０４は、薄いグレーに対してはっきりと見分けることが可能な黒色や紺色等の色で彩色されてもよい。同様に、図形構成要素７０６も、薄いグレーに対してはっきりと見分けることが可能な濃いオレンジ色や濃い緑色等の色で彩色されてもよい。また、図形構成要素７０６に重ねて、テキスト構成要素が表示されてもよい。例えば、図１６では、緑色の図形構成要素に重ねて、白色のテキスト構成要素が表示されている。図１６と図１７を比較すると分かるように、メッセージ領域内がぼやけているので、メッセージ領域内の彩色された構成要素は、ぼやけていない場合に比べてより簡単に見分けることができる。
【００４０】
前述されたように、例えば、通常提供される透過的な背景領域を伴うテレビメニューは、表示されたテキスト情報の可読性を低下する。可読性を改善するために、メニューを通して見られる放送中の画像は、例えば拡散によって（「焦点をぼかして」）扱われてもよい。こうすることによって、それほど可読性を減少させずに、メニューを非常に透過的にすることが可能となる。このように、結果として外見上美しく見えて、読みやすい。
【００４１】
ＯＳＤメニュー／図形の領域内のテレビ画像をぼかすことによって、テレビ画像の明るい色彩および速い動きに気をとられることなく、はっきり縁取られたテキストを読むことが容易になる。一方、基調を成すテレビ画像の動きおよび色彩は、見分けられることが可能であり、図形によって覆われていない（したがって、ぼやけていない）テレビ画像に関しては、現在示されているテレビ画像についてのよい情報源を形成することが可能である。
【００４２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図面の簡単な説明】
【００４３】
【図１】本発明の一実施形態にかかる、テレビ画面へのメッセージ表示方法のステップを示したフローチャートである。
【図２】本発明の一実施形態にかかるテレビを示す説明図である。
【図３】本発明のさらなる一実施形態にかかるテレビ機材装置を示す説明図である。
【図４】テレビ画面に表示されるテレビ画像およびメッセージを示す説明図である。
【図５】テレビ画像のメッセージ領域内に表示されたメッセージを示す説明図である。
【図６】さらなるテレビ画像を示す説明図である。
【図７】さらなるメッセージを示す説明図である。
【図８】メッセージ領域を有する図６に示されたテレビ画像を示す説明図である。
【図９】図６に示されたテレビ画像のメッセージ領域内に表示された、図７のメッセージを示す説明図である。
【図１０】テレビ画像のメッセージ領域内に表示されたテレビメニューを示す説明図である。
【図１１】テレビ画像およびメッセージ領域を示す説明図である。
【図１２】テレビ画像のメッセージ領域内に表示されたテレビメニューを示す説明図である。
【図１３】テレビ画像のメッセージ領域内に表示されたテレビメニューを示す説明図である。
【図１４】テレビ画像のメッセージ領域内に表示されたテレビメニューを示す説明図である。
【図１５】テレビ画像およびメッセージ領域を示す説明図である。
【図１６】テレビ画像のメッセージ領域内に表示されたテレビメニューを示す説明図である。
【図１７】テレビ画像のメッセージ領域内に表示されたテレビメニューを示す説明図である。
【符号の説明】
【００４４】
２００  テレビ
２０２  画面
２０４  画面制御部
２０６  メッセージ処理部
２０８  チューニング部
２１０  テレビ画像
２１２  メッセージ領域
２１４  メッセージ
３００  セットトップボックス
３０２  信号処理部
３０４  テレビチューニング部
３０６  メッセージ提供部
【図１】
2008259206.tif 000003
【図２】
2008259206.tif 000004
【図３】
2008259206.tif 000005
【図４】
2008259206.tif 000006
【図５】
2008259206.tif 000007
【図６】
2008259206.tif 000008
【図７】
2008259206.tif 000009
【図８】
2008259206.tif 000010
【図９】
2008259206.tif 000011
【図１０】
2008259206.tif 000012
【図１１】
2008259206.tif 000013
【図１２】
2008259206.tif 000014
【図１３】
2008259206.tif 000015
【図１４】
2008259206.tif 000016
【図１５】
2008259206.tif 000017
【図１６】
2008259206.tif 000018
【図１７】
2008259206.tif 000019